(57)【特許請求の範囲】
【請求項１】
８個の多面体から構成される多面体玩具であって、
前記多面体は、立方体の６面の内、相互に隣接する３面を残し、他の３面が除かれる共に、これら残された各面を底面とする３つの４角錐が形成され、これらの４角錐の側面の内、相互に重複する側面を重ね合わせるようにして、６面の三角形面が形成されると共に、
前記各底面は、前記三角形面を臨む平面視において、鉛直方向で垂直に交わる第１面及び第２面と、水平方向で前記第１面及び第２面と垂直に交わる第３面とする場合に、前記各多面体が、２行及び４列の長方体状に展開される多面体玩具の平面において、１行目及び２行目に、それぞれ前記多面体の三角形面、第３面、第３面及び三角形面が臨まれ、且つ、
前記各多面体は、第１行及び第１列の多面体と第１行及び第２列の多面体が、それぞれ隣接する第１面の各辺で連結され、第１行及び第２列の多面体と第１行及び第３列の多面体が、前記多面体玩具の底面の前記三角形面に臨まれ、且つ、対面する第２面及び第１面の各辺で連結され、第１行及び第３列の多面体と第１行及び第４列の多面体は、それぞれ隣接する第２面の各辺で連結され、また、第２行及び第１列の多面体と第２行及び第２列の多面体は、それぞれ隣接する第２面の各辺で連結され、第２行及び第２列の多面体と第２行及び第３列の多面体は、前記多面体玩具の底面の前記三角形面に臨まれ、且つ、対面する第１面及び第２面の各辺で連結され、第２行及び第３列の多面体と第２行及び第４列の多面体は、それぞれ隣接する第１面の各辺で連結され、さらに、第１列及び第４列の前記各多面体が隣接する第３面の各辺で連結されていることを特徴とする多面体玩具。
【請求項２】
少なくとも１台の多面体玩具により遊技可能な請求項１に記載の多面体玩具。
【請求項３】
少なくとも２台の多面体玩具を互いに雌雄状にして嵌合させることにより、遊技可能な請求項１に記載の多面体玩具。
【請求項４】
少なくとも２台の多面体玩具をそれぞれ変容させることにより、積木のように遊技可能な請求項１に記載の多面体玩具。
【発明の詳細な説明】
【技術分野】
【０００１】
本発明は、長方体或は立方体の形態から、種々の形態に変容させることができる多面体玩具に関するものである。
【背景技術】
【０００２】
従来より、吉本キューブと称される立方体玩具が知られており、その構成及び製造方法が、特許文献１に開示されている。
吉本キューブは、基本的には互いに雌雄状に嵌合可能で、しかも星型多面体と立方体の間で変容可能な２つの玩具本体からなっている。
２つの玩具本体を玩具本体Ａと玩具本体Ｂとすると、各玩具本体Ａ及び玩具本体Ｂは、それぞれ８個の多面単位体からなっている。【０００３】
その遊技方法には、主な遊技方法として２つのパターンがある。
その１つのパターンは次のようである。
特許文献１の第１図に示された形態を玩具本体Ａの初期形態として、その状態から分割線１４（第１図参照）を中心に玩具本体Ａを展開させると、その中から星型多面体の玩具本体Ｂが現れる。その星型多面体の玩具本体Ｂを玩具本体Ａから取出して分離させる。分離後に玩具本体Ａを展開させて、星型多面体を完成させる。
もう１つのパターンは次のようである。
玩具本体Ａの前記初期形態の状態では、その立方体の表面に玩具本体Ａを構成する各正方形の色彩が現れている。この状態から前記分割線１４に交差する分割線を中心に玩具本体Ａを展開させて、玩具本体Ｂを構成する各正方形の色彩が現れるように、玩具本体Ａから、玩具本体Ｂの立方体に変容させるものである。
即ち、吉本キューブの遊技方法は、玩具本体Ａ又は玩具本体Ｂの立方体から、その表面を反転させて、色代わりの立方体に変容させたり、玩具本体Ａ又は玩具本体Ｂの立方体と星型多面体に交互に変容させるものである。【０００４】
しかし、玩具本体Ａ又は玩具本体Ｂを色変りの立方体に変容させたり、立方体と星型多面体に交互に変容させるような遊技方法は、その遊技のパターンに限界があった。
また、玩具本体Ａ及び玩具本体Ｂをペアとする遊技方法が基本とされ、玩具本体Ａ及び玩具本体Ｂを単体で使用する遊技方法も限定されていた。
さらに、玩具本体Ａ及び玩具本体Ｂをペアとする遊技方法が基本とされ、２つ以上の複数の立方体玩具を組み合わせる等して遊技の内容を豊富にさせる展開性に乏しかった。
【先行技術文献】
【特許文献】
【０００５】
【特許文献１】特公昭６３−３６２７２号公報
【発明の概要】
【発明が解決しようとする課題】
【０００６】
本願発明が解決しようとする問題点は、吉本キューブの遊技方法が限定的なパターンであったことから、吉本キューブと同様に多面体からなる多面体玩具の遊技方法について、豊富な遊技パターンを提供すること、多面体玩具について、形態の変化の予測がつかない遊技パターンを提供するとともに、そのことによりバズルの要素を高めることとする。
また、１つの多面体玩具でも、その形態の変化を楽しむことができる多面体玩具を提供すること、２つ以上の複数の多面体玩具を組合わせて、遊技の内容を豊富にさせる展開性を備えた多面体玩具を提供することとする。
【課題を解決するための手段】
【０００７】
本発明は、８個の多面体から構成される多面体玩具であって、
前記多面体は、立方体の６面の内、相互に隣接する３面を残し、他の３面が除かれる共に、これら残された各面を底面とする３つの４角錐が形成され、これらの４角錐の側面の内、相互に重複する側面を重ね合わせるようにして、６面の三角形面が形成される。
前記各底面は、前記三角形面を臨む平面視において、鉛直方向で垂直に交わる第１面及び第２面と、水平方向で前記第１面及び第２面と垂直に交わる第３面とする。
前記各多面体が、２行及び４列の長方体状に展開される多面体玩具の平面において、１行目及び２行目に、それぞれ前記多面体の三角形面、第３面、第３面及び三角形面が臨まれる。
前記各多面体は、第１行／第１列の多面体と第１行／第２列の多面体が、それぞれ隣接する第１面の各辺で連結され、第１行／第２列の多面体と第１行／第３列の多面体が、前記多面体玩具の底面の前記三角形面に臨まれ、且つ、対面する第２面及び第１面の各辺で連結され、第１行／第３列の多面体と第１行／第４列の多面体は、それぞれ隣接する第２面の各辺で連結されている。また、第２行／第１列の多面体と第２行／第２列の多面体は、それぞれ隣接する第２面の各辺で連結され、第２行／第２列の多面体と第２行／第３列の多面体は、前記多面体玩具の底面の前記三角形面に臨まれ、且つ、対面する第１面及び第２面の各辺で連結され、第２行／第３列の多面体と第２行／第４列の多面体は、それぞれ隣接する第１面の各辺で連結されている。さらに、第１列及び第４列の前記各多面体が隣接する第３面の各辺で連結されている（以上、請求項１の発明）。【０００８】
上記発明において、少なくとも１台の多面体玩具により遊技可能な多面体玩具となっている（請求項２の発明）。【０００９】
上記発明において、２台の多面体玩具を互いに雌雄状にして嵌合することにより、遊技可能な多面体玩具となっている（請求項３の発明）。【００１０】
上記発明において、少なくとも２台の多面体玩具をそれぞれ変容させることにより、積木のように遊技可能な多面体玩具となっている（請求項４の発明）。
【発明の効果】
【００１１】
本願発明によれば、吉本キューブ等の立方体玩具に代わり、上記多面体玩具を提案することにより、豊富な遊技パターンを提供すること、形態の変化の予測がつかない遊技パターンを提供すること、１つの多面体具でも、その形態の変化を楽しむことができるようにすること、２つ以上の複数の多面体玩具を組合わせて、遊技の内容を豊富にさせる展開性を備えた多面体玩具を提供することができる。
【図面の簡単な説明】
【００１２】
【図１】長方体状に展開された多面体玩具の平面側からの斜視図
【図２】同底面側からの斜視図
【図３】図１の多面体玩具の１行及び１列に位置する多面体を抜き出して図示した平面視からの多面体の斜視図
【図４】図３に示した多面体の側面視からの斜視図
【図５】長方体状に展開された多面体玩具の平面図
【図６】同正面図
【図７】（Ａ）多面体玩具の内部構造を省略し、且つ、図６に図示したＡ―Ａ線の矢視断面図、（Ｂ）同図５に図示したＢ―Ｂ線の矢視断面図、（Ｃ）同Ｃ―Ｃ線矢視断面図、（Ｄ）同Ｄ―Ｄ線矢視断面図、（Ｅ）同Ｅ―Ｅ線矢視端面図、（Ｆ）同Ｆ―Ｆ線矢視端面図、（Ｇ）同Ｇ―Ｇ線矢視断面図
【図８】多面体の中央縦断面図
【図９】多面体の連結構造を示す斜視図
【図１０】遊技パターンＡにより変容される多面体玩具を示す斜視図
【図１１】同斜視図
【図１２】同斜視図
【図１３】同斜視図
【図１４】遊技パターンＢにより変容される多面体玩具を示す斜視図
【図１５】（Ａ）同斜視図、（Ｂ）変容過程を示す各玩具ａ及びｂの斜視図
【図１６】同斜視図
【図１７】同斜視図
【図１８】遊技パターンＣにより変容される多面体玩具を示す斜視図
【図１９】同斜視図
【図２０】同斜視図
【図２１】同斜視図
【図２２】同斜視図
【図２３】同斜視図
【図２４】同斜視図
【図２５】（Ａ）遊技パターンＤにより変容される多面体玩具を示す斜視図、（Ｂ）及び（Ｃ）変容過程を示す各玩具ａ及びｂの斜視図
【図２６】同斜視図
【図２７】同斜視図
【図２８】同斜視図
【図２９】同斜視図
【図３０】遊技パターンＥにより変容される多面体玩具を示す斜視図
【図３１】同斜視図
【図３２】同斜視図
【図３３】同斜視図
【図３４】同斜視図
【図３５】同斜視図
【図３６】同斜視図
【図３７】同斜視図
【図３８】遊技パターンＦにより変容される多面体玩具を示す斜視図
【図３９】遊技パターンＧにより変容される多面体玩具を示す斜視図
【図４０】同斜視図
【発明を実施するための形態】
【００１３】
本発明に係る多面体玩具（以下、単に玩具と称する）１は、８個の多面体Ｕ１〜Ｕ８から構成されるもので、図１及び図２では、多面体Ｕ１〜Ｕ８が、２行及び４列の長方体状に展開される玩具１が図示されている。
なお、本書においては、８個の多面体Ｕ１〜Ｕ８に関し、図１において１行及び１列に配置されている多面体Ｕ１の各構成を特定すると共に、これに倣い各多面体Ｕ２〜Ｕ８の構成及び玩具１の構成を説明する。
よって、本書及び各図においては、前記多面体Ｕ１の構成に共通する前記各多面体Ｕ２〜Ｕ８の各構成には、前記多面体Ｕ１の構成と同一の名称及び符号を付することとする。
【００１４】
図３及び図４は、図１に図示されている前記多面体Ｕ１を抜き出して図示したもので、前記多面体Ｕ１は、立方体Ｒの各６面Ｒ１〜Ｒ６の内、相互に隣接する３面Ｒ１〜Ｒ３を残し、他の３面Ｒ４〜Ｒ６を除き、残された３面Ｒ１〜Ｒ３を底面とする３つの４角錐Ｇ１〜Ｇ３を形成する場合に、相互に重なり合わされる４角錐Ｇ１〜Ｇ３の各側面を除いた６面の三角面Ｔ１〜Ｔ６による三角形面１０を備えている。
【００１５】
前記３面Ｒ１〜Ｒ３は、図３のように、鉛直方向に延在し、且つ、相互に直角に接する面Ｒ１及びＲ２を第１面Ｒ１及び第２面Ｒ２と称し、これらの前記第１面Ｒ１及び第２面Ｒ２に対し、水平方向に延在し、且つ、直角に接する面Ｒ３を第３面Ｒ３と称する。
また、図４のように、前記第１面Ｒ１及び第２面Ｒ２の各上下の水平辺を１１ｕ、１１ｄ及び１３ｕ、１３ｄとし、各左右の垂直辺を１２ｌ、１２ｒ及び１４ｌ、１４ｒとする。前記第３面Ｒ３の各辺の内、前記下水平線１１ｄに隣接する辺を第１面隣接辺１５、前記下水平線１３ｄに隣接する辺を第２面隣接辺１６、第１面隣接辺１５に平行な辺を平行辺１７、第２面隣接辺１６に平行な辺を平行辺１８と称する。
【００１６】
前記４角錐Ｇ１〜Ｇ３は、図３及び図４のように、前記立方体Ｒの各対角線Ｃが交わる点を頂点Ｔに形成され、各対角線Ｃに沿って各稜線が形成される。
このように形成される４角錐Ｇ１〜Ｇ３の各側面の内、相互に重合しない４角錐Ｇ１の側面により、三角面Ｔ１及び三角面Ｔ２が形成される。同様に４角錐Ｇ２の側面により、三角面Ｔ３及び三角面Ｔ４が形成される。同様に４角錐Ｇ３の側面により、三角面Ｔ５及び三角面Ｔ６が形成される。
【００１７】
以上のように構成された前記各多面体Ｕ１〜Ｕ８が、図１のように２行及び４列の長方体状に展開される玩具１の場合、その平面に対する平面視においては、１行目及び２行目に、それぞれ三角形面１０、第３面Ｒ３、第３面Ｒ３及び三角形面１０が臨んでいる。
一方、図２のように、前記玩具１の底面視において、１行目及び２行目に、それぞれ第３面Ｒ３、三角形面１０、三角形面１０及び第３面Ｒ３が臨んで構成されている。
【００１８】
これらの各多面体Ｕ１〜Ｕ８は、次のような連結関係を備えている。
なお、本願の各図において、各多面体Ｕ１〜Ｕ８の連結関係が現れる箇所は、太線で表示する。
【００１９】
第１行／第１列の多面体Ｕ１と第１行／第２列の多面体Ｕ２は、図１及び図２並びに図７（Ａ）及び（Ｂ）で表示したように、それぞれ隣接する第１面Ｒ１の右垂直辺１２ｒで連結されている。
前記多面体Ｕ２と第１行／第３列の多面体Ｕ３は、図２並びに図７（Ａ）及び（Ｂ）で表示したように、それぞれ対面する第２面Ｒ２の上水平線１３ｕ及び第１面Ｒ１の上水平線１１ｕの各辺で連結されている。
前記Ｕ３と第１行／第４列の多面体Ｕ４は、図１及び図２並びに図７（Ａ）及び（Ｂ）のように、それぞれ隣接する第２面Ｒ２の左垂直辺１４ｌで連結されている。
【００２０】
第２行／第１列の多面体Ｕ５と第２行／第２列の多面体Ｕ６は、図１及び図２並びに図７（Ａ）に表示したように、それぞれ隣接する第２面Ｒ２の左垂直辺１４ｌで連結されている。
前記多面体Ｕ６と第２行／第３列の多面体Ｕ７は、図２並びに図７（Ａ）及び（Ｃ）に表示したように、それぞれ対面する第１面Ｒ１の上水平線１１ｕ及び第２面Ｒ２の上水平線１３ｕの各辺で連結されている。
前記多面体Ｕ７と第２行／第４列の多面体Ｕ８は、図１及び図２並びに図７（Ａ）に表示したように、それぞれ隣接する第１面Ｒ１の右垂直辺１２ｒで連結されている。
【００２１】
また、前記多面体Ｕ１及び前記多面体Ｕ５は、図１及び図２並びに図７（Ａ）及び（Ｄ）に表示したように、それぞれ隣接する第３面Ｒ３の各平行辺１７、１８で連結されている。
また、前記多面体Ｕ４及び前記多面体Ｕ８は、図１及び図２並びに図７（Ａ）及び（Ｇ）に表示したように、それぞれ隣接する第３面Ｒ３の各平行辺１７、１８で連結されている。
【００２２】
即ち、前記各図のように、前記多面体Ｕ１及び前記多面体Ｕ２、前記多面体Ｕ３及び前記多面体Ｕ４並びに前記多面体Ｕ２及び前記多面体Ｕ３は連結関係にあり、前記多面体Ｕ５及び前記多面体Ｕ６、前記多面体Ｕ７及び前記多面体Ｕ８並びに前記多面体Ｕ６と前記多面体Ｕ７は連結関係にある。
しかし、前記多面体Ｕ２及び前記多面体Ｕ６は連結関係になく、同様に前記多面体Ｕ３及び前記多面体Ｕ７も連結関係にはない。
【００２３】
各多面体Ｕ１〜Ｕ８の具体的な構造は、図８のように、前記第１面Ｒ１、第２面Ｒ２及び三角形面１０を備えると共に、第３面Ｒ３を開口させた本体２と、開口された前記第３面Ｒ３を塞ぐための蓋体３により製造されるもので、本体２と蓋体３は合成樹脂により製造されている。
前記本体２の内部には、前記三角形面１０の背面から前記開口に向って、円筒部２０が成形され、一方、この円筒部２０に嵌め入れられる円柱３０が前記蓋体３に形成されている。前記円柱３０が前記円筒部２０に嵌合されることで、前記開口が閉鎖されて、多面体Ｕ１〜Ｕ８が製造される。
上記のような構造の多面体Ｕ１〜Ｕ８を製造するには、前記本体２と蓋体３について、それぞれ雄及び雌の各金型を用意し、各金型に射出成型機等により熱可撓性樹脂を射出成形すればよい。
【００２４】
前記各多面体Ｕ１〜Ｕ８の前記各連結箇所の具体的な連結構造は、次の様である。即ち、第１面Ｒ１乃至第３面Ｒ３の何れかの２面が連結される前記各連結箇所において、各２面を覆うことができる長方形のテープ材４を用意し、その半分毎に各２面に亘って貼着する。同時に各三角面Ｔ１〜Ｔ６の何れかの２面が連結される各連結箇所において、三角面Ｔ１〜Ｔ６の各２面を覆うことができるひし形（平行四辺形）のテープ材５を用意し、その半分ことに各２面に亘って、前記長方形のテープ材２を表側とすると、その裏側に貼着する。
図９のような前記多面体Ｕ２と前記多面体Ｕ３の連結構造を例示すれば、それぞれ隣接する第２面Ｒ２の上水平線１３ｕ及び第１面Ｒ１の上水平線１１ｕを突き合わせ、テープ材４で貼着すると共に、各三角面Ｔ１をテープ材５で貼着する。
【００２５】
前記各多面体Ｕ１〜Ｕ８の第１面Ｒ１乃至第３面Ｒ３の各面に、各種のカラーテープを貼着したり、図柄のテープを貼着してもよい。これらのテープは、前記テープ材２、４がある場合にはその上から貼着されるが、前記テープ材２、４自体をカラーテープ化してもよい。
【００２６】
前記玩具１の遊技方法を例示すると次のとおりである。
＜遊技パターンＡ＞
この遊技パターンＡは、１台の玩具１を用意し、その玩具１により種々の形態に変容させるものである。
８個の多面体Ｕ１〜Ｕ８の形態から、図１０のように、恰も４個の立方体で、縦２段×横２段の形態に変容させることができる。
また、図１１のように、４個の立方体により縦３段にして略Ｌ字状に変容させたり、図１２及び図１３のように、縦２段と横２段を交差させるように変容させることができる。
【００２７】
＜遊技パターンＢ＞
この遊技パターンＢは、２台の玩具１を用意して遊技するもので、２台の玩具を玩具ａ及び玩具ｂとすると、玩具ａ及び玩具ｂを互いに雌雄状にして嵌合させたり、玩具ａ及び玩具ｂをそれぞれ変容させて、その後に組合わせて、横方向の１段の形態に変容させるものである。
なお、各図において、玩具ａの各面Ｒ１〜Ｒ３  及び三角形面１０は白抜き（以下、単に表面色）で表示し、玩具ｂの各面Ｒ１〜Ｒ３  及び三角形面１０は網掛け（以下、単に表面色）で表示する。
【００２８】
ここで、玩具ａ及び玩具ｂが雌雄状となる形態とは、玩具ａ及び玩具ｂの各多面体Ｕ１〜Ｕ８が、次のような連結関係にあることを示す。
まず、玩具ａの各多面体Ｕ１〜Ｕ８が、２行及び４列の長方体状に展開されている平面に対する平面視において、１行目に、多面体Ｕ６、多面体Ｕ５、多面体Ｕ１及び多面体Ｕ２が第１列から第４列にかけて配置され、２行目に、多面体Ｕ７、多面体Ｕ８、多面体Ｕ４及び多面体Ｕ３が第１列から第４列にかけて配置されると共に、各多面体Ｕ１〜Ｕ８の各三角形面１０が臨まれる。
一方、玩具ｂの各多面体Ｕ１〜Ｕ８が、２行及び４列の長方体状に展開されている平面の平面視において、１行目に、多面体Ｕ１、多面体Ｕ２、多面体Ｕ３及び多面体Ｕ４が第１列から第４列にかけて配置され、２行目に、多面体Ｕ５、多面体Ｕ６、多面体Ｕ７及び多面体Ｕ８が第１列から第４列にかけて配置されると共に、各多面体Ｕ１〜Ｕ８の各三角形面１０が臨まれることである。
この雌雄状にある玩具ａ及び玩具ｂの各三角形面１０を対面させて、玩具ａ及び玩具ｂを嵌合させ、図１４のように、２行４列の長方体に変容させることができる。
【００２９】
また、図１５（Ａ）は、玩具ａ及び玩具ｂをそれぞれ変容させて、クロス状に組合せたもので、まず同図（Ｂ）のように玩具ａ及び玩具ｂを変容させて、同図（Ａ）のように玩具ａ及び玩具ｂを組合わせて、横方向に積んで積木のように遊技することができる。
図１６は玩具ａ及び玩具ｂを段違状に組合せ、図１７は玩具ａ及び玩具ｂを井桁状に組合せたもので、それぞれ積木のように遊技することができる。
【００３０】
＜遊技パターンＣ＞
この遊技パターンＣは、２台の玩具１の玩具ａ及び玩具ｂを用意し、互いに雌雄状にして嵌合させて、縦２段×横２段×高さ２段の立方体に変容させるものである。
その際に、図１８〜図２４のように、立方体の各面を異なる表面色に変容させることができ、パズルのように遊技することができる。
【００３１】
＜遊技パターンＤ＞
この遊技パターンＤは、２台の玩具１の玩具ａ及び玩具ｂを用意し、玩具ａ及び玩具ｂを同じ形態に変容させて遊技するものである。
図２５（Ａ）は、２つの同じ山形の形態を組合わせて変容させた場合で、まず同図（Ｂ）の形態から同図（Ｃ）のように玩具ａ及び玩具ｂを変容させて、同図（Ａ）のように玩具ａ及び玩具ｂを組合わせて、横方向及び縦方向に積んで積木のように遊技する。
図２６は、２つの同じＬ字の形態を組合わせて変容させた場合、図２７は、２つの同じ山形の形態を互い違いに組合わせて変容させた場合、図２８は２つの同じＳ字の形態を互い違い組合わせて変容させた場合で、それぞれ積木のように遊技することができる。
図２９は、玩具ａ及び玩具ｂを嵌合させて、２つの同じＬ字の形態を互い違いに組合わせるように変容させたものである。
【００３２】
＜遊技パターンＥ＞
この遊技パターンＥは、２台の玩具１の玩具ａ及び玩具ｂを用意し、玩具ａ及び玩具ｂをそれぞれ別の形態に変容させた後、これらを横方向及び縦方向に積んで積木のように２段に組合わせた形態に変容させるものである。
即ち、図３０から図３７のように、玩具ａ及び玩具ｂを用いて、アトランダムに積木状に組合わせた形態に変容させることができる。
【００３３】
＜遊技パターンＦ＞
この遊技パターンＦは、２台の玩具１として玩具ａ及び玩具ｂを用意し、玩具ａ及び玩具ｂをそれぞれ別の形態に変容させた後、図３８のようにこれらを積木のように３段に組合わせた形態に変容させるものである。
【００３４】
＜遊技パターンＧ＞
上記各遊技パターンが玩具ａ及び玩具ｂを変容させる場合に、各面Ｒ１〜Ｒ３を表出させるように変容させていたが、遊技パターンＧでは、前記三角形面１０を表出させるように変容させて、その後に図３９及び図４０のようにこれらを積木のように変容させるものである。
【００３５】
以上、前記玩具１の遊技パターンＡに示されたように、１台の前記玩具１でも、その形態の変化を楽しむことができる。
また、遊技パターンＢ〜Ｇのように、豊富な遊技パターンを提供することができ、その際に、形態の変化の予測がつかない遊技パターンを提供するができる。
さらに、遊技パターンＣのように、立方体の表面色の組み合わせを作り出すことができるか否かのバズルの要素を盛り込むことができる。
【００３６】
以上の遊技パターンは、２台の玩具１として玩具ａ及び玩具ｂを使用しているが、２台以上の玩具１用意し、それぞれ変容させて、これらを横方向及び縦方向に積んで積木のようにして遊技することができる。
【００３７】
本発明は、以上説明した実施形態に限定されるものではなく、多くの変形が本発明の技術的思想内で当分野において、通常の知識を有する者により可能である。
【符号の説明】
【００３８】
１  多面体玩具
１０  三角形面
１１ｕ  １３ｕ  上水平辺
１１ｄ  １３ｄ  下水平辺
１２ｌ  １４ｌ  左垂直辺
１２ｒ  １４ｒ  右垂直辺
１５  第１面隣接面
１６  第２面隣接面
１７  １８  平行辺
２  本体                                ２０  円筒部
３  蓋体                                ３０  円柱
４  ５  テープ
Ｕ１〜Ｕ８  多面体
Ｒ  立方体                              Ｒ１〜Ｒ６  立方体の６面
Ｒ１  第１面                            Ｒ２  第２面
Ｒ３  第３面
Ｇ１〜Ｇ３  ４角錐
Ｔ１〜Ｔ６  三角面
Ｃ  対角線
Ｔ  頂点
【要約】
吉本キューブ等の立方体玩具に代わり、豊富な遊技パターンを提供すること、形態の変化の予測がつかない遊技パターンを提供すること、１つの多面体具でも、その形態の変化を楽しむことができ、また２つ以上の複数の多面体玩具を組合わせて、遊技の内容を豊富にさせる展開性を備えた多面体玩具を提供することを目的とする。そのため、前記玩具を構成する多面体Ｕ１は、立方体Ｒの３面Ｒ１〜Ｒ３を底面とする３つの４角錐Ｇ１〜Ｇ３を形成する場合に、相互に重なり合わされる４角錐Ｇ１〜Ｇ３の各側面を除いた６面の三角面Ｔ１〜Ｔ６による三角形面１０を備え、このように構成された前記各多面体Ｕ１〜Ｕ８が、図１のように２行及び４列の長方体状に展開される玩具１の場合、その平面に対する平面視においては、１行目及び２行目に、それぞれ三角形面１０、第３面Ｒ３、第３面Ｒ３及び三角形面１０が臨んで構成されている。【図１】
0006410955.tif 000002
【図２】
0006410955.tif 000003
【図３】
0006410955.tif 000004
【図４】
0006410955.tif 000005
【図５】
0006410955.tif 000006
【図６】
0006410955.tif 000007
【図７】
0006410955.tif 000008
【図８】
0006410955.tif 000009
【図９】
0006410955.tif 000010
【図１０】
0006410955.tif 000011
【図１１】
0006410955.tif 000012
【図１２】
0006410955.tif 000013
【図１３】
0006410955.tif 000014
【図１４】
0006410955.tif 000015
【図１５】
0006410955.tif 000016
【図１６】
0006410955.tif 000017
【図１７】
0006410955.tif 000018
【図１８】
0006410955.tif 000019
【図１９】
0006410955.tif 000020
【図２０】
0006410955.tif 000021
【図２１】
0006410955.tif 000022
【図２２】
0006410955.tif 000023
【図２３】
0006410955.tif 000024
【図２４】
0006410955.tif 000025
【図２５】
0006410955.tif 000026
【図２６】
0006410955.tif 000027
【図２７】
0006410955.tif 000028
【図２８】
0006410955.tif 000029
【図２９】
0006410955.tif 000030
【図３０】
0006410955.tif 000031
【図３１】
0006410955.tif 000032
【図３２】
0006410955.tif 000033
【図３３】
0006410955.tif 000034
【図３４】
0006410955.tif 000035
【図３５】
0006410955.tif 000036
【図３６】
0006410955.tif 000037
【図３７】
0006410955.tif 000038
【図３８】
0006410955.tif 000039
【図３９】
0006410955.tif 000040
【図４０】
0006410955.tif 000041